(57)【要約】【課題】  カメラに装着させる外装部材に応じて、各種画像処理が行われたプリント写真を得ることができる。【解決手段】  レンズ付きフイルムユニットに。外装部材２０を装着して撮影すると、写真フイルムには撮影画像とともにドットマーク６５が写し込まれる。外装部材２１の場合はドットマーク６６、６７が写し込まれる。外装部材２２の場合はドットマーク６５〜６７は写し込まれない。外装部材２０〜２２を装着せずに撮影した場合には、ドットマーク６５〜６６が写し込まれる。デジタルプリンタは、各撮影コマから撮影画像、ドットマーク６５〜６６、フイルムデータ８３を読み取り、ドットマーク６５〜６６及びフイルムデータ８３に基いた画像処理を行ってプリント写真を作成する。従って、外装部材２０〜２２を着け替えるだけで、セピア色、白黒、フレーム付き等のプリント写真を得ることができる。【選択図】        図６
2005283661.tif 000002
【特許請求の範囲】
【請求項１】
外部に露呈して設けられた開口から取り込んだ光を写真フイルムの露光範囲外に光学データとして写し込むためのデータ光路を備えたカメラに装脱自在であるカメラの外装部材において、
前記カメラに装着されることで前記データ光路の少なくとも一部を遮断し、前記光学データを変更することを特徴とするカメラの外装部材。
【請求項２】
前記カメラの外装部材には外光を前記開口に導光する外光導光部材、及び前記カメラに設けられたストロボ装置からのストロボ光を前記開口に導光するストロボ光導光部材のうちのどちらか一方又は両方を備えたことを特徴とする請求項１記載のカメラの外装部材。    
【請求項３】
前記カメラの外装部材には、前記データ光路の少なくとも一部を遮断する閉じ位置と、前記データ光路を全て許容する開き位置に移動自在の開閉部材を備え、前記開閉部材を移動させることで前記写真フイルムに写し込まれる光学データを変更することを特徴とする請求項１又は２記載のカメラの外装部材。
【請求項４】
前記請求項１ないし３いずれか記載のカメラの外装部材を用いたカメラによって撮影された写真フイルムから画像をプリントするプリント写真の作成方法において、
撮影コマ毎に露光された画像及び写し込まれた光学データを読み取り、前記光学データに基づいた画像処理を前記画像に行ってプリント写真を作成することを特徴とするプリント写真の作成方法。
【請求項５】
前記写真フイルムには、予めフイルムデータが記録されており、前記撮影コマ毎の画像及び前記光学データとともに前記フイルムデータを読み取り、前記光学データ及びフイルムデータに基いた画像処理を前記画像に行ってプリント写真を作成することを特徴とする請求項４記載のプリント写真の作成方法。
【発明の詳細な説明】
【技術分野】
【０００１】
本発明は、カメラに装着されるが外装部材及びプリント写真の作成方法に関するものである。
【背景技術】
【０００２】
簡単な撮影機構を内蔵した本体基部に未露光の写真フイルムを装填したレンズ付きフイルムユニットが販売されており、広く利用されている。さらに、このレンズ付きフイルムユニットにデータ写し込み機構を内蔵したものが知られている。中でも、ボディ前面に設けた採光窓からシャッタレリーズに応答して外光を取り入れ、透明樹脂製で形成されたライトガイドを用いて、写真フイルムに外光を導光して露光画面外にマークを写し込む。プリント時には、写し込まれたマークを読み取り、このマークに応じたプリントサイズでプリントが行われるものが特許文献１に記載されている。また、プリント写真の魅力や楽しみをより一層一般のユーザーに広げるために、カラーのプリント写真の他に、例えばセピア色に色調されたプリント写真、白黒に色調されたプリント写真等を得られる専用のレンズ付きフイルムユニットがそれぞれ販売されている。
【０００３】
【特許文献１】特開平８−２１１４７８号公報
【発明の開示】
【発明が解決しようとする課題】
【０００４】
しかしながら、セピア色や白黒のプリント写真が得られる専用のレンズ付きフイルムユニットで撮影されたプリント写真は、全てセピア色や白黒に色調されたプリント写真となってしまう。そのために、レンズ付きフイルムユニットの用途が限られてしまうとともに、撮影されたプリント写真に飽きてしまうという問題もあった。
【０００５】
本発明は、上記問題を解決するために、写真フイルムに撮影画像とともに光学データを写し込むカメラに装脱自在の外装部材を着け替えることで、光学データを変更してこの光学データに基いた各種画像処理を行ったプリント写真を得ることができるカメラの外装部材及びプリント写真の作成方法を提供することを目的とする。
【課題を解決するための手段】
【０００６】
本発明のカメラの外装部材は、外部に露呈して設けられた開口から取り込んだ光を写真フイルムの露光範囲外に光学データとして写し込むためのデータ光路を備えたカメラに装脱自在であるカメラの外装部材において、前記カメラに装着されることで前記データ光路の少なくとも一部を遮断し、前記光学データを変更することを特徴とするものである。また、前記カメラの外装部材には外光を前記開口に導光する外光導光部材、及び前記カメラに設けられたストロボ装置からのストロボ光を前記開口に導光するストロボ光導光部材のうちのどちらか一方又は両方を備えてもよい。また、前記カメラの外装部材には、前記データ光路の少なくとも一部を遮断する閉じ位置と、前記データ光路を全て許容する開き位置に移動自在の開閉部材を備え、前記開閉部材を移動させることで前記写真フイルムに写し込まれる光学データを変更してもよい。
【０００７】
本発明のプリント写真の作成方法は、前記カメラの外装部材を用いたカメラによって撮影された写真フイルムの撮影コマ毎に露光された画像及び写し込まれた光学データを読み取り、前記光学データに基づいた画像処理を前記画像に行ってプリント写真を作成するものである。また、前記写真フイルムには、予めフイルムデータが記録されており、前記撮影コマ毎の画像及び前記光学データとともに前記フイルムデータを読み取り、前記光学データ及びフイルムデータに基いた画像処理を前記画像に行ってプリント写真を作成してもよい。
【発明の効果】
【０００８】
本発明によれば、外部に露呈して設けられた開口から取り込んだ光を写真フイルムの露光範囲外に光学データとして写し込むカメラに装脱自在であるカメラの外装部材をカメラに装着することで、データ光路の少なくとも一部を遮断し、光学データを変更するようにしたので、外装部材を交換するだけで各種画像処理が施されたプリント写真を容易に得ることができる。
【０００９】
また、外装部材には外光を開口まで導光する外光導光部材、及びストロボ装置からのストロボ光を開口に導光するストロボ光導光部材のうちのどちらか一方又は両方を備えるようにしたので、確実に写真フイルムに光学データを写し込むことができる。また、データ光路の少なくとも一部を遮断する閉じ位置と、データ光路を全て許容する開き位置に移動自在の開閉部材を備え、開閉部材を移動させることで写真フイルムに写し込まれる光学データを変更できるようにしたので、通常の撮影を行う際に外装部材を外さなくても容易に通常のカラープリント写真の撮影が行える。
【００１０】
さらに、前記カメラの外装部材を用いたカメラによって撮影された写真フイルムの撮影コマ毎に、露光された画像及び写し込まれた光学データを読み取り、光学データに基づいた画像処理を画像に行ってプリント写真を作成したので、プリント写真作成の作業性が高くなる。また、写真フイルムに予め記憶されているフイルムデータを撮影コマ毎の画像及び光学データとともに読み取り、光学データ及びフイルムデータに基いた画像処理を画像に行ってプリント写真を作成したので、より複雑な画像処理を施したプリント写真が作成できる。
【発明を実施するための最良の形態】
【００１１】
図１は、レンズ付きフイルムユニットと、その前後を覆うように装着される外装部材の外観を示す。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１２】
ユニット本体３の前面には、撮影レンズ５，対物ファインダ６，ストロボ発光部７、ストロボ充電スイッチ８、及びデータ写し込み用の第１及び第２採光窓９、１０等が設けられている。ユニット本体３の上面には、シャッタボタン１５，カウンタ表示窓１６，シグナル用開口１７等が設けられている。ユニット本体３の背面からは、撮影後のフイルム巻き上げに用いられる巻上げノブ１８の一部が露呈されている。
【００１３】
レンズ付きフイルムユニット２は、ストロボ充電スイッチ８を図１に示すＯＦＦ位置で撮影を行うとストロボＯＦＦの通常撮影が行われ、ストロボ充電スイッチ８をＯＦＦ位置から上方にスライドさせたＯＮ位置で撮影を行うとストロボＯＮのストロボ撮影が行われる。図示しないが、ストロボ充電スイッチ８をＯＮ位置にすることに連動して、シグナル用開口１７から充電完了表示部が外部に飛び出す。充電完了表示部は、透明なプラスチックで形成されたライトガイドとなっており、ストロボ充電が完了したときに内部に設けたストロボ充電完了ランプの点灯又は点滅を外部に導いて表示する。
【００１４】
通常撮影では、外光が開口である第１及び第２採光窓９、１０からユニット本体３内に導光され、データである略方形のビットマークを撮影コマに対応した位置で、かつ撮影画像の露光範囲外に光学的に写し込む。また、ストロボ撮影でも、被写体に向かって発光したストロボ光が被写体等に反射して第１及び第２採光窓９、１０からユニット本体３内に導光され、通常撮影と同様にビットマークを光学的に写し込む。
【００１５】
レンズ付きフイルムユニット２に複数の外装部材を着け替えることで、通常のカラープリント写真だけでなく撮影者の好みの画像処理を行ったプリント写真を得ることができる。この画像処理としては、例えば、撮影画像がセピア色に色調される画像処理（以下、セピア色処理という）を行ったり、撮影画像が白黒に色調される画像処理（以下、白黒処理という）を行ったり、撮影画像に所定の図柄などをフレームとして合成させる画像処理（以下フレーム処理という）を行ったプリント写真である。なお、画像処理の種類はこれらに限るものではない。
【００１６】
着け替えられる複数の外装部材としては、図６に示すように、レンズ付きフイルムユニット２の前面に設けられた第１及び第２採光窓９、１０のうち、第２採光窓１０を遮蔽する外装部材２０（タイプ１）、第１採光窓９を遮蔽する外装部材２１（タイプ２）、第１及び第２採光窓９、１０を遮蔽する外装部材２２（タイプ３）の３種類が設けられており、これらの外装部材２０〜２２を装着することによって、データ光路の少なくとも一部が遮断される。なお、本実施形態では、タイプ１〜３の外装部材２０〜２２のうち、第２採光窓１０を遮蔽するタイプ１の外装部材２０を例に挙げて本実施形態を説明する。
【００１７】
図１に示す外装部材２０は、レンズ付きフイルムユニット２の前面を覆う前面カバー２４と、背面を覆う背面カバー２５等から構成されている。前面カバー２４には、レンズ付きフイルムユニット２の撮影レンズ５、対物ファインダ６、ストロボ発光部７、ストロボ充電スイッチ８を露呈させる各種開口２４ａ〜２４ｄと、レンズ付きフイルムユニット２の第１採光窓９を露呈させる開口２７が設けられている。背面カバー２５には、巻上げノブ１８用の開口２５ａ、図示しない接眼ファインダ用の開口２５ｂが設けられている。前面カバー２４及び背面カバー２５は、レンズ付きフイルムユニット２を前後から挟み込むように装着され、背面カバー２５に設けられた突起部２９を前面カバー２４に設けられた嵌合孔（図示せず）に嵌合させる。これにより、前面カバー２４及び背面カバー２５に設けられた各種開口から、前述のレンズ付きフイルムユニット２の撮影レンズ５や対物ファインダ６、第１採光窓９などが露呈する。さらに、外装部材２０の上面に設けられた各開口からは、シャッタボタン１５、カウンタ表示窓１６、ライトガイドが露呈している。なお、第２採光窓１０は前面カバー２４によって遮蔽されている。
【００１８】
図２は、外装部材２０が装着されるレンズ付きフイルムユニット２のユニット本体３の構成を示す分解斜視図である。レンズ付きフイルムユニット２は、前カバー３０と後カバー３１とで外カバーが構成されており、外カバーの内部には、本体基部３３、パトローネ３４ａ、写真フイルム３４ｂ、ストロボユニット３５、露光ユニット３６が内蔵されている。    
【００１９】
本体基部３３には、露光開口３８を挟んだ一方側にパトローネ３４ａを収納するパトローネ室３８が設けられ、また他方側にはパトローネ３４ａから未露光の写真フイルム３４ｂをロール状に巻回した状態で収納するフイルムロール室３９が設けられている。パトローネ室３８の上には、巻上げノブ１８が回転自在に取り付けられている。巻上げノブ１８は、軸がパトローネ３４ａのスプールに係合している。巻上げノブ１８を外部からフイルム巻き上げ方向に回転操作すると、撮影済みの写真フイルム３４ｂをパトローネ３４ａの内部に巻き上げる。
【００２０】
露光開口４０の前には、露光ユニット３６が取り付けられ、本体基部３３と露光ユニット３６との一部３３ａ，３６ａを組み合わせることで暗箱が形成される。暗箱は、撮影レンズ５を透過した撮影光を露光開口３８に導く。この暗箱内には、第１及び第２ライトガイド４２、４３が取り付けられる。
【００２１】
本体基部３３の背面は開口しており、ここにパトローネ３４ａと写真フイルム３４ｂを装填後に後カバー３１を取り付けることで背面が遮光される。また、フイルムロール室３８とパトローネ室３９との底面は開口している。後カバー３１には、一部を薄肉にして開閉自在にしたプルトップ式の蓋３１ａ、３１ｂが設けられている。一方の蓋３１ａは、フイルムロール室４２の底面を塞ぐための蓋であり、また、他方の蓋３１ｂは、パトローネ室４１の底面を塞ぐとともに、撮影済みの該ユニット本体３からパトローネ３４ａを取り出すときに開かれる。
【００２２】
露光ユニット３６は、撮影レンズ５、シャッタ機構、スプロケットを有するフイルム巻き止め機構、シャッタチャージ機構、フイルムカウンタ機構、及びファインダ光学系などを一体的に組み込んだユニット部品である。ファインダ光学系は、凹レンズの対物レンズ６と凸レンズの接眼レンズを有する逆ガリレオ式のファインダとなっている。
【００２３】
シャッタ機構は、シャッタレリーズに応答してシャッタ羽根４５の一端を蹴飛ばすことで撮影光軸５ａを横切るようにシャッタ羽根４５をシャッタ開口４６の前面で一往復揺動させる蹴飛ばし式のタイプである。シャッタ開口４６は、露光ユニット３６の暗箱の前面のうちの撮影光軸５ａ上に設けられている。回転軸を挟んで前記一端４７とは逆側の他端に、シャッタ開口４６を開閉する撮影光用開閉部４５ａを設けたシャッタ羽根４５は、シャッタカバー４８によりカバーされる。シャッタカバー４８には、撮影光軸５ａ上に固定絞りが形成されており、その固定絞りの前面に撮影レンズ５が取り付けられている。
【００２４】
ストロボユニット３５は、ストロボ基板５０、電源電池５１、ガイド板５２、スイッチ板５３などで構成されており、本体基部３３と前カバー３０との間に着脱自在に取り付けられている。ストロボ基板５０には、ストロボ回路、メインコンデンサ、シンクロ接点、ストロボ発光部７などが一体的に組み込まれている。ストロボ充電スイッチ８は、スイッチ板５３に形成されており、ガイド板５２のガイドによりスライドしてストロボ回路の充電スイッチ８を開閉する。ストロボユニット３５は、ストロボ充電スイッチ８がＯＮすると、電源電池５１の電源を利用してメインコンデンサに充電を行い、シンクロスイッチに応答してトリガ信号を放電管に印加することでメインコンデンサに蓄積した高電圧を利用して放電管が発光してストロボ発光部７から被写体に向けてストロボ光を照射する。
【００２５】
図３にも示すように、前カバー３０の前面には、撮影レンズ５、対物ファインダ６、ストロボ発光部７、ストロボ充電スイッチ８を露呈させる各種開口とともに、大きさの異なる第１及び第２採光窓９、１０が第１及び第２データ光路９ａ、１０ａ上に設けられている。前カバー３０の第１及び第２採光窓９、１０の裏側には、透明なプラスチックで形成された第３及び第４ライトガイド５６，５７が設けられており、第１採光窓９からの外光は、第３ライトガイド５６を介して第１ライトガイド４２に導かれる。第２採光窓１０からの外光は、第４ライトガイド５７を介して第２ライトガイド４３に導かれる。
【００２６】
シャッタ機構のシャッタ羽根４５には、データ写し込み用開閉部４５ｂが撮影光用開閉部４５ａから斜め上に突出して形成されている。データ写し込み用開閉部４５ｂは、データ写し込み用の第１及び第２開口６０，６１を同時に開閉する。第１及び第２開口６０，６１は、第１及び第２採光窓９、１０からの外光を第１及び第２ライトガイド４２、４３の入射面４２ａ、４３ａ、４３ｂに導くための第１及び第２データ光路９ａ、１０ａ上に設けられている。なお、シャッタカバー４８にも、第１及び第２データ光路９ａ、１０ａ上に開口６２，６３がそれぞれ設けられている。  
【００２７】
第１及び第２ライトガイド４２、４３は、第１及び第２採光窓９、１０からの外光を取り入れる入射面４２ａ、４３ａ、４３ｂと、入射した光を写真フイルム３４ｂにビットマーク６５を写し込むための射出面４２ｂ、ビットマーク６６、６７を写し込むための射出面４６ｃ、４６ｄとを備えている。これらの射出面４５ｂ，４６ｃ、４６ｄは、写真フイルム３４ｂの近傍に位置しており、ビットマーク６５、６６、６７は、撮影領域７０の上方のパーフォレーション７１よりもさらに外側の写真フイルムの側縁部に一定の間隔で写し込まれる。なお、第２ライトガイド４３には、入射面４６ａから入射した光は射出面４６ｃから射出し、入射面４６ｂから入射した光は射出面４６ｄから射出するように、第２ライトガイド４３の中央には、その長手方向に沿って遮光性の仕切り部７３が設けられている。
【００２８】
図４に示すように、第１ライトガイド４２は第１開口６０から暗箱３３ａ、３６ａに入射した外光を第１写し込み開口７５に導光する第１データ光路９ａを形成しており、第１データ光路９ａと撮影光路７８とを遮断するために、暗箱３３ａ、３６ａの内部のうちの上側で遮光壁７７により隔離されている。また、図示していないが、第２ライトガイド４３も第２開口６１から暗箱に入射する外光を第２写し込み開口７６に導光する第２データ光路１０ａを形成しており、遮光壁７７により暗箱の内部で隔離されている。この遮光壁７７により第１及び第２データ光路９ａ、１０ａから撮影光路７８に外光の進入（漏光）を防止する。さらに、第１及び第２ライトガイド４２、４３は、仕切壁７９により隔離されている。仕切壁７９は第１及び第２データ光路９ａ、１０ａとの間で外光の進入（漏光）を防止する。
【００２９】
図５に示すように、外装部材２０の前面カバー２４に設けられた第１採光窓９を露呈させる開口２７の裏側には、外光及びストロボ発光部７からのストロボ光を第１採光窓９に導く第５ライトガイド８０が設けられている。第５ライトガイド８０は、透明なプラスチックで形成されており、前面カバー２４の裏側から開口２７をほぼ覆うようにして配置される外光採光部８０ａと、ストロボ発光部７の下部前方に配置されるストロボ光採光部８０ｂと、外光採光部８０ａ及びストロボ光採光部８０ｂから採光した光を第１採光窓９に照射する照射部８０ｃとを有している。
【００３０】
なお、照射部８０ｃは、前面カバー２４がレンズ付きフイルムユニット２に装着された際には、第１採光窓９を覆うように配置される。また、第２採光窓１０は、前面カバー２４がレンズ付きフイルムユニット２に装着されると、図示しない前面カバー２４の裏側によって覆われるので、第５ライトガイド８０からの外光及びストロボ光が第２採光窓１０に漏光することはない。また、本実施形態では、外装部材２０で第１採光窓９に外光及びストロボ光を導光する構成を説明しているが、第１採光窓９を遮蔽し、第２採光窓１０に外光及びストロボ光を導光するタイプ２の外装部材２１でも構成は同じである。従って、この場合には、第５ライトガイド８０に設けられた外光採光部８０ａが第２採光窓１０を覆い、照射部８０ｃは第２採光窓１０に採光された光を照射する。また、第１及び第２採光窓９、１０を遮蔽するタイプ３の外装部材２２には、第５ライトガイド８０は設けられていない。また、第５ライトガイド８０は、外光及びストロボ光を採光する外光採光部８０ａとストロボ光採光部８０ｂとを備えているが、どちらか一方だけを備えてもよい。
【００３１】
従って、外装部材２０を装着せずに、レンズ付きフイルムユニット２で撮影した写真フイルムには図６（Ａ）に示すように、写真フイルム３４ｂのパーフォレーション７１の外側に３つのドットマーク６５〜６７が写し込まれる。また、タイプ１の外装部材２０を装着したレンズ付きフイルムユニット２で撮影した写真フイルム３４ｂには、図６（Ｂ）に示すように、写真フイルム３４ｂのパーフォレーション７１の外側に１つのドットマーク６５が写し込まれる。タイプ２の外装部材２１を装着したレンズ付きフイルムユニット２で撮影した写真フイルム３４ｂには、図６（Ｃ）に示すように、写真フイルム３４ｂのパーフォレーション７１の外側に２つのドットマーク６６，６７が写し込まれる。さらに、タイプ３の外装部材２２を装着したレンズ付きフイルムユニット２で撮影した写真フイルム３４ｂには、図６（Ｄ）に示すように、写真フイルム３４ｂのパーフォレーション７１の外側にはドットマークが写し込まれない。
【００３２】
また、図３にも示すように、レンズ付きフイルムユニット２に装填されている写真フイルム３４ｂには、パーフォレーション７１の外側で、かつ写し込まれるドットマーク６５〜６７と干渉しない位置にフイルムデータ８３が予め露光されている。フイルムデータ８３は、写真フイルム３４ｂの識別情報を表わすバーコードであり、写真フイルム３４ｂの製造時に潜像記録され、写真フイルム３４ｂの現像後に可視化される。このフイルムデータ８３としては、フイルム感度、フイルム種別、ロット番号、フイルムメーカー等の情報である。写真フイルム３４ｂは、感度が同じであっても、品種の違い（メーカーやロット番号の違い等）によって発色濃度が微妙に異なるので、撮影コマの画像をプリントする際には、このフイルムデータ８３に基づいて画像や色などの補正処理が行われてプリントされる。
【００３３】
図７は写真フイルム３４ｂからプリント写真を作成するデジタルプリンタ８５の構成の一例を示したものである。デジタルプリンタ８５は、大別して入力部８６と出力部８７とからなり、入力部８６は現像済みの写真フイルムからフイルムデータ８３やビットマーク６５〜６７を読み取る第１及び第２フォトセンサ８８、８９、写真フイルム３４ｂの各撮影コマからカラー画像を読み取るスキャナ９０、Ａ／Ｄ変換器９１、画像メモリ９２、画像処理回路９３、及びこれらを制御するコントローラ９４等からなる。
【００３４】
現像済みの写真フイルム３４ｂが、図示しない搬送機構によって搬送され、フォトセンサ８８、８９を介してスキャナ９０に送られる。この搬送の際に、第１フォトセンサ８８は写真フイルム３４ｂからフイルムデータ８３を読み取り、第２フォトセンサ８９は写真フイルム３４ｂから撮影コマ毎にドットマーク６５〜６７を読み取る。読み取られたフイルムデータ８３及び各ドットマーク６５〜６７はコントローラ９４に送られる。コントローラ９４は、このドットマーク６５〜６７及びフイルムデータ８３に基づいて、画像処理回路９３を制御する。    
【００３５】
スキャナ９０は、図示しないフイルムキャリア、ランプ、このランプから光を拡散してフイルムキャリアにセットされている撮影コマを照射する拡散ボックス、撮影コマを読み取るＣＣＤ、撮影コマのカラー画像をＣＣＤ上に結像させるレンズ等から構成されている。このスキャナ９０は、写真フイルム３４ｂが１コマ分送られる毎に、ＣＣＤでカラー画像を赤色、青色、緑色で三色分解側光し、得られる光電信号をＡ／Ｄ変換器９１に送る。      
【００３６】
Ａ／Ｄ変換器９１は、各光電信号をデジタル変換することにより、撮影コマのカラー画像を３色の画像データに変換する。３色の画像データは、画像メモリ９２に書き込まれる。画像処理回路９３は、画像メモリ９２に１コマ分の画像データが書き込まれると、これを読み出してコントローラ９４の制御によってフイルムデータ８３及びドットマーク６５〜６７に基づいた所定の画像処理を行う。
【００３７】
図６に示しように、例えば、写真フイルム３４ｂに写し込まれたドットマーク６５〜６７が３個の場合（Ａ）では、撮影コマの画像はフイルムデータ８３に基づいて通常のカラープリントの画像処理を行う。また、ドットマーク６５が１個だけ写し込まれている場合（Ｂ）では、撮影コマの画像はセピア色処理される。ドットマーク６６，６７が２個写し込まれている場合（Ｃ）では、撮影コマの画像は白黒処理される。ドットマークが０個の場合（Ｄ）では、撮影コマの画像はフレーム処理が行われる。これらの画像処理が行われた画像データは、出力部８７の画像メモリ９５に出力される。
【００３８】
出力部８７は、画像メモリ９６、赤色、青色、緑色の各レーザー光を出力するレーザーユニット９７、このレーザーユニット９７の出力を画像メモリ９６の処理済画像データに応じて制御するドライバ９８、ポリゴンミラー９９、Ｆθレンズ１００、長尺カラー印画紙１０１、を搬送する搬送機構（図示せず）等から構成されている。
【００３９】
この出力部８７により、カラー印画紙１０１がその長手方向に搬送されている間に、高速回転するポリゴンミラー９９によるレーザー光の走査によってカラー印画紙１０１に各撮影コマの画像が露光される。露光されたカラー印画紙１０１は、現像処理の後に１個の画像毎に切り分けられてプリント写真とされる。
【００４０】
以下、上記構成の作用について説明する。撮影者が第１及び第２採光窓９、１０を備えたレンズ付きフイルムユニット２の他に、レンズ付きフイルムユニット２に装着する３タイプの外装部材２０〜２２を撮影者が備え、レンズ付きフイルムユニット２に外装部材を選択し装着すると、撮影者は複数種類のプリントパターンから好みのプリントパターンのプリント写真をえることができる。
【００４１】
例えば、３タイプの外装部材２０〜２２の背面カバー２２には、外装部材２０〜２２を装着して撮影を行った際に得ることができる画像処理が行われたプリント写真のイメージ図が記載されており、撮影者はこのイメージ図を参考にしながら撮影を行う。通常のカラープリントで撮影したい場合には、レンズ付きフイルムユニット２に外装部材２０〜２２を装着せずに写真撮影を行う（図６（Ａ））。これにより、写真フイルム３４ｂには撮影画像とともに３個のドットマーク６５〜６７が写し込まれる。また、プリント写真をセピア色に色調されたプリント写真を得たい場合には、タイプ１の外装部材２０をレンズ付きフイルムユニット２に装着させて撮影を行う（図６（Ｂ））。これにより、写真フイルム３４ｂには撮影画像とともに１個のドットマーク６５が写し込まれる。また、白黒に色調されたプリント写真を得たい場合には、タイプ２の外装部材２１をレンズ付きフイルムユニット２に装着させて撮影を行う（図６（Ｃ））。これにより、写真フイルム３４ｂには撮影画像とともに２個のドットマーク６６、６７が写し込まれる。また、撮影画像に所定の図柄のフレームを合成したプリント写真を撮影したい場合には、タイプ３の外装部材２２をレンズ付きフイルムユニット２に装着させて撮影を行う（図６（Ｄ））。これにより、写真フイルム３４ｂには撮影画像だけが写し込まれる（ドットマークの写し込み無し）。      
【００４２】
これらの３タイプの外装部材２０〜２２を用いて撮影されたレンズ付きフイルムユニット２は、現像取扱店に現像に出される。現像取扱店では、写真フイルム３４ｂに写し込まれたドットマーク６５〜６７及び予め潜像記録されているフイルムデータ８３を読み取って、撮影コマ毎にフイルムデータ８３及びドットマーク６５〜６７に基いた画像処理が行われて、カラープリント写真、セピア色のプリント写真、白黒のプリント写真、フレーム付きのプリント写真等を容易に得ることができる。
【００４３】
上記実施形態では、カラーのプリント写真を得る場合には、外装部材２０〜２２を外して撮影を行い、また、セピア色処理、白黒処理、フレーム処理をしたプリント写真を得る場合には、各画像処理に対応した外装部材２０〜２２を着け替えて撮影を行ったが、これに替えて、外装部材２０〜２２を装着したままでカラーのプリント写真が得られるようにしてもよい。この場合には、外装部材に第１及び第２採光窓９，１０を露呈させる開口と、この開口を遮蔽及び開放させる開閉部材を設けてもよい。例えば、タイプ１の外装部材２０に開口及び開閉部材を設けた場合の構成を図８に示す。なお、前述の実施形態と同一構成部材には、同一の符号を付して、重複した説明は省略する。
【００４４】
図８は第２採光窓を遮蔽するタイプ２の外装部材１０３の構成を示す斜視図である。外装部材１０３は前面カバー１０５、背面カバー２５、ライトガイド１０６、開閉部材１０７から構成されている。前面カバー１０５には、レンズ付きフイルムユニット２の第１及び第２採光窓９、１０に対応した開口１０８、１０９が設けられている。前面カバー１０５の裏側で、かつ開口１０８，１０９を覆うようにライトガイド１０６が設けられており、ライトガイド１０６と第１及び第２採光窓９、１０の間には、遮光性のプラスチックで形成された開閉部材１０７が設けられている。
【００４５】
ライトガイド１０６は、開口１０８、１０９をほぼ覆うようにして配置される外光採光部１０６ａと、ストロボ発光部７の下部前方に配置されるストロボ光採光部１０６ｂと、外光採光部１０６ａ及びストロボ光採光部１０６ｂから採光した光を第１及び第２採光窓９、１０に照射する照射部１０６ｃとを有している。
【００４６】
また、開閉部材１０７は板部材１０７ａ、開口１０７ｂ、操作突起１０７ｃから構成されている。板部材１０７ａの一方の端部には、第１採光窓９とほぼ同じ外形の開口１０７ｂが設けられており、この開口１０７ｂの反対側の他方の端部には、板部材１０７ａが下方に延設され、図８に示すように前面カバー１０５に向かって突出した操作突起１０７ｃが設けられている。外装部材１０３がレンズ付きフイルムユニット２に装着する場合は、開閉部材１０７の開口１０７ｂを第１採光窓９とほぼ一致させ、前面カバー１０５の長穴１０５ａの左端から操作突起１０７ｃが外部に突出する。
【００４７】
図９にも示すように、開閉部材１０７は、操作突起１０７ｃを長穴１０５ａの左端に配置している場合には、前面カバー１０５の開口１０８から外光を第１採光窓９に導光しており、第２採光窓１０は開閉部材１０７によって外光を遮蔽する閉じ位置（Ａ）と、操作突起１０７ｃを長穴１０５ａの左端から右端にスライドさせることに伴って、第１及び第２採光窓９、１０の前面から開閉部材１０７が退避して、前面カバー１０５の開口１０８から外光を第１及び第２採光窓９、１０に導光する開き位置（Ｂ）へとスライド自在である。これにより、開閉部材１０７が閉じ位置では、第１データ光路９ａは許容され、第２データ光路１０ａは遮断されており、開閉部材１０７が開き位置の場合には、第１及び第２データ光路９ａ、１０ａはともに許容されている。
【００４８】
例えば、レンズ付きフイルムユニット２でセピア色処理されたプリント写真を得ようとした場合には、撮影者はレンズ付きフイルムユニット２に外装部材１０３を装着させる。このときに、前面カバー１０５の長穴１０５ａから突出している操作突起１０７ｃを図中左端に配置して撮影を行う。これにより、前面カバー１０５の開口１０８からの外光を開閉部材１０７の開口１０７ｂを介して第１採光窓９に導光される。よって、写真フイルム３４ｂには撮影画像とともに１つのドットマーク６５が写し込まれる。また、通常のカラープリント写真を得たい場合には、撮影者は操作突起１０７ｃを長穴１０５ａの左端から右端にスライドさせる。これにより、開閉部材１０７が第１及び第２採光窓９、１０の前面から退避して、前面カバー１０５の開口１０８、１０９からの外光が第１及び第２採光窓９、１０に導光される。よって、写真フイルム３４ｂには撮影画像とともに３個のドットマーク６５〜６７が写し込まれる。
【００４９】
レンズ付きフイルムユニット２の全ての写真フイルム３４ｂが撮影されると、撮影者から現像取扱店にレンズ付きフイルムユニット２が手渡され、撮影済みの写真フイルム３４ｂの現像が行われる。この時に、現像された写真フイルム３４ｂからフイルムデータ８３及びドットマーク６５〜６７が読み取られ、このフイルムデータ８３及びドットマーク６５〜６７に基づいた画像処理が行われたプリント写真が作成される。これにより、ドットマーク６５が１個写し込まれている撮影コマの画像は、セピア色に色調されたプリント画像が作成される。また、ドットマーク６５〜６７が３個写し込まれている撮影コマの画像は、通常のカラープリント写真が作成される。従って、外装部材１０３の装脱なしに、撮影者は撮影画像に外装部材に対応した画像処理を行ったプリント写真と通常のカラープリントを行ったプリント写真を容易に撮影することができる。
【００５０】
また、上記実施形態では、開閉部材１０７が閉じ位置のときには、第１採光窓９に外光を導光するとともに第２採光窓１０への外光を開閉部材１０７で遮断し、開閉部材１０７が開き位置のときには、第１及び第２採光窓９、１０に外光を導光させたが、タイプ２の外装部材２１に開閉部材１０７を備える場合は、上記実施形態と同様の構成で、開閉部材１０７が閉じ位置のときには、第２採光窓１０に外光を導光するとともに第１採光窓９への外光を開閉部材１０７で遮断し、開閉部材１０７が開き位置のときには、第１及び第２採光窓９、１０に外光を導光させる。また、タイプ３の外装部材２２に開閉部材１０７を設ける場合には、開閉部材１０７には開口１０７ｂは設けずに、開閉部材１０７が閉じ位置のときは、第１及び第２採光窓９，１０への外光を開閉部材１０７で遮断し、開き位置の場合には第１及び第２採光窓９、１０へ外光を導光させる。
【００５１】
また、ライトガイド１０６に設けられたストロボ光採光部１０６ｂからストロボ光が採光され、照射部１０６ｃから照射されても、開閉部材１０７が照射部１０６ｃと第１及び第２採光窓９、１０の間に配置されているので、開閉部材１０７が閉じ位置のときに、照射部１０６ｃから照射されたストロボ光が第２採光窓１０に導光されることはない。
【００５２】
また、上記実施形態では、写真フイルム３４ｂに予め潜像記録されているフイルムデータ８３と撮影時に撮影コマ毎に写し込まれたドットマーク６５〜６７に基づいて、撮影画像に３種類（セピア色、白黒、フレーム）の画像処理を行ったが、ドットマーク６５〜６７だけを読み込んで、このドットマーク６５〜６７に基づいた画像処理を行ったプリント写真を作成してもよい。また、フイルムデータ８３とドットマーク６５〜６７との組合せで、撮影画像に行われる画像処理を３種類以上設けてもよい。
【００５３】
フイルムデータ８３とドットマーク６５〜６６の組合せで３種類以上の画像処理を行う場合としては、例えば、レンズ付きフイルムユニット２が発売される季節情報をフイルムデータ８３に予め記憶させておき、外装部材２０〜２２を着け替えて撮影を行うと、写真フイルム３４ｂのフイルムデータ８３及び外装部材２０〜２２によるドットマーク６５〜６７に基づいて、撮影画像に各種季節感のある図柄のフレームが合成されたプリント写真が作成される。このとき、レンズ付きフイルムユニット２には、装着する外装部材２０〜２２によってプリントされる画像処理後のプリント写真の説明を記載しておくことが好ましい。これにより、使用するレンズ付きフイルムユニット２及び外装部材２０〜２２によって、画像処理が行われるプリント写真の種類も増えるので、撮影者はより多くの自分好みのプリント写真を得ることができる。
【００５４】
また、本実施形態では、写真フイルム３４ｂに写し込むドットマーク６５〜６７を最高で３個とし、外光を取り入れる採光窓は２つ備えたレンズ付きフイルムユニット２を用いたが、写真フイルム３４ｂに写し込まれるドットマークは１個でも、３個以上でもよく。採光窓も２つに限るものではない。
【００５５】
なお、上記実施形態では、レンズ付きフイルムユニット２を用いたが、これに限らず、未露光の写真フイルム３４ｂが詰め替え可能で、外光を写真フイルム３４ｂに導光してドットマーク（データ）を写し込むカメラに、本発明の外装部材を装着させることで、撮影画像に各種画像処理を施したプリント写真を得られるようにしてもよい。
【図面の簡単な説明】
【００５６】
【図１】外装部材及びレンズ付きフイルムユニットを示す斜視図である。
【図２】レンズ付きフイルムユニットの構成を示す分解斜視図である。
【図３】レンズ付きフイルムユニットの光学データ写し込み手段の構成を示す分解斜視図である。
【図４】暗箱の要部断面図である。
【図５】前面カバーに設けられている第５ライトガイドの説明図である。
【図６】外装部材によって写し込まれるドットマークプリント写真の関係を示す説明図である。
【図７】デジタルプリンタの構成を示すブロック図である。
【図８】外装部材に設けられた開閉部材の概略を示す分解斜視図である。
【図９】開閉部材を備えた外装部材で撮影した際に写し込まれるドットマークとプリント写真の関係を示す説明図である。
【符号の説明】
【００５７】
２  レンズ付きフイルムユニット
９  第１採光窓
１０  第２採光窓
２０〜２２  外装部材
４２  第１ライトガイド
４３  第２ライトガイド
４５  シャッタ羽根
４５ａ  撮影光用開閉部
４５ｂ  データ写し込み用開閉部
６５〜６７  ビットマーク
８０  第５ライトガイド
８３  フイルムデータ
８５  デジタルプリンタ
９３  画像処理回路
９４  コントローラ
１０５ａ  長穴
１０６  ライトガイド
１０７  開閉部材
【図１】
2005283661.tif 000003
【図２】
2005283661.tif 000004
【図３】
2005283661.tif 000005
【図４】
2005283661.tif 000006
【図５】
2005283661.tif 000007
【図６】
2005283661.tif 000008
【図７】
2005283661.tif 000009
【図８】
2005283661.tif 000010
【図９】
2005283661.tif 000011